【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
複数の入力画像データが入力される入力手段と、
前記複数の入力画像データが、所定の画像データを構成する複数の部分画像データを含むか判定する判定手段と、
前記複数の入力画像データが前記複数の部分画像データを含む場合、当該複数の部分画像データに基づいて前記所定の画像データを生成する生成手段と、
前記所定の画像データに基づいて画像を表示する表示手段と、
を有する表示装置。
【請求項２】
複数の入力画像データが入力される入力手段と、
前記複数の入力画像データが、所定の画像データを構成する複数の部分画像データを含むか判定する判定手段と、
前記複数の部分画像データに対応する複数の入力画像データの情報をユーザに提示する提示手段と、
を有する表示装置。
【請求項３】
前記複数の入力画像データのうち前記部分画像データの組み合わせを指定する指示をユーザから受け付ける指定手段と、
前記指定手段により前記部分画像データの組み合わせとして指定された前記入力画像データを合成して前記所定の画像データを生成する生成手段と、
前記生成手段により生成された前記所定の画像データに基づく画像を表示する表示手段と、
を有する請求項２に記載の表示装置。
【請求項４】
前記判定手段は、前記複数の入力画像データのうちに、前記部分画像データよりサイズが大きく、かつ、前記表示手段により表示可能なサイズの全体画像データを構成する前記部分画像データの組み合わせがあるか判定する請求項１又は３に記載の表示装置。
【請求項５】
前記複数の入力画像データのフォーマット情報を取得する取得手段を有し、
前記判定手段は、前記取得手段が取得した前記複数の入力画像データの前記フォーマット情報に基づいて前記複数の入力画像データが前記所定の画像データを構成する複数の部
分画像データを含むか判定する請求項１乃至請求項４のいずれか１項に記載の表示装置。
【請求項６】
前記フォーマット情報は、画素数、フレームレート、同期信号周波数又はブランキング期間を含む請求項５に記載の表示装置。
【請求項７】
前記判定手段は、前記フォーマット情報の少なくとも一部が互いに一致する入力画像データを前記部分画像データと判定する請求項５又は６に記載の表示装置。
【請求項８】
前記判定手段は、２つの前記入力画像データを上下又は左右に並べた場合に互いに隣接する端部における画素値の差が閾値より小さい場合、当該２つの入力画像データは前記部分画像データの組み合わせに含まれると判定する請求項１乃至請求項７のいずれか１項に記載の表示装置。
【請求項９】
複数の入力画像データが入力される入力ステップと、
前記複数の入力画像データが、所定の画像データを構成する複数の部分画像データを含むか判定する判定ステップと、
前記複数の入力画像データが前記複数の部分画像データを含む場合、当該複数の部分画像データに基づいて前記所定の画像データを生成する生成ステップと、
前記所定の画像データに基づいて画像を表示する表示ステップと、
を有する制御方法。
【請求項１０】
複数の入力画像データが入力される入力ステップと、
前記複数の入力画像データが、所定の画像データを構成する複数の部分画像データを含むか判定する判定ステップと、
前記複数の部分画像データに対応する複数の入力画像データの情報をユーザに提示する提示ステップと、
を有する制御方法。
【請求項１１】
前記複数の入力画像データのうち前記部分画像データの組み合わせを指定する指示をユーザから受け付ける指定ステップと、
前記指定ステップにおいて前記部分画像データの組み合わせとして指定された前記入力画像データを合成して前記所定の画像データを生成する生成ステップと、
前記生成ステップにおいて生成された前記所定の画像データに基づく画像を表示する表示ステップと、
を有する請求項１０に記載の制御方法。
【請求項１２】
前記判定ステップでは、前記複数の入力画像データのうちに、前記部分画像データよりサイズが大きく、かつ、前記表示ステップにおいて表示可能なサイズの全体画像データを構成する前記部分画像データの組み合わせがあるか判定する請求項９又は１１に記載の制御方法。
【請求項１３】
前記複数の入力画像データのフォーマット情報を取得する取得ステップを有し、
前記判定ステップでは、前記取得ステップにおいて取得した前記複数の入力画像データの前記フォーマット情報に基づいて前記複数の入力画像データが前記所定の画像データを構成する複数の部分画像データを含むか判定する請求項９乃至請求項１２のいずれか１項に記載の制御方法。
【請求項１４】
前記フォーマット情報は、画素数、フレームレート、同期信号周波数又はブランキング期間を含む請求項１３に記載の制御方法。
【請求項１５】
前記判定ステップでは、前記フォーマット情報の少なくとも一部が互いに一致する入力画像データを前記部分画像データと判定する請求項１３又は１４に記載の制御方法。
【請求項１６】
前記判定ステップでは、２つの前記入力画像データを上下又は左右に並べた場合に互いに隣接する端部における画素値の差が閾値より小さい場合、当該２つの入力画像データは前記部分画像データの組み合わせに含まれると判定する請求項９乃至請求項１５のいずれか１項に記載の制御方法。
【請求項１７】
請求項９乃至請求項１６のいずれか１項に記載の制御方法の各ステップをコンピュータに実行させるためのプログラム。
【手続補正２】
【補正対象書類名】明細書
【補正対象項目名】０００６
【補正方法】変更
【補正の内容】
【０００６】
上記の目的を達成するために、本発明に係る表示装置の一つは、複数の入力画像データが入力される入力手段と、前記複数の入力画像データが、所定の画像データを構成する複数の部分画像データを含むか判定する判定手段と、前記複数の入力画像データが前記複数の部分画像データを含む場合、当該複数の部分画像データに基づいて前記所定の画像データを生成する生成手段と、前記所定の画像データに基づいて画像を表示する表示手段とを有する。 
【手続補正３】
【補正対象書類名】明細書
【補正対象項目名】０００７
【補正方法】変更
【補正の内容】
【０００７】
上記の目的を達成するために、本発明に係る表示装置の一つは、複数の入力画像データが入力される入力手段と、前記複数の入力画像データが、所定の画像データを構成する複数の部分画像データを含むか判定する判定手段と、前記複数の部分画像データに対応する複数の入力画像データの情報をユーザに提示する提示手段とを有する。 
【手続補正４】
【補正対象書類名】明細書
【補正対象項目名】０００８
【補正方法】変更
【補正の内容】
【０００８】
上記の目的を達成するために、本発明に係る制御方法の一つは、複数の入力画像データが入力される入力ステップと、前記複数の入力画像データが、所定の画像データを構成する複数の部分画像データを含むか判定する判定ステップと、前記複数の入力画像データが前記複数の部分画像データを含む場合、当該複数の部分画像データに基づいて前記所定の画像データを生成する生成ステップと、前記所定の画像データに基づいて画像を表示する表示ステップとを有する。 
【手続補正５】
【補正対象書類名】明細書
【補正対象項目名】０００９
【補正方法】変更
【補正の内容】
【０００９】
上記の目的を達成するために、本発明に係る制御方法の一つは、複数の入力画像データが入力される入力ステップと、前記複数の入力画像データが、所定の画像データを構成する複数の部分画像データを含むか判定する判定ステップと、前記複数の部分画像データに対応する複数の入力画像データの情報をユーザに提示する提示ステップとを有する。